(57)【特許請求の範囲】
【請求項１】
各一対の横仕切板１と縦仕切板２とを底板３の周囲に連設して起立させ、横仕切板１の両側縁から延出した添当片４を縦仕切板２に沿わせるように折り曲げ、横仕切板１と縦仕切板２とを起立状態が維持されるように固定し、縦仕切板２の両側縁から延出した外折片５を外側へ折り曲げ、箱に挿入してその周壁内面に外折片５を沿わせ、外折片５の垂直な先端縁が箱の稜線に内接した状態で、箱の内部が５分割されるようにした厚紙製仕切体。
【請求項２】
前記横仕切板１の上部に設けたフック６を、縦仕切板２の上部に形成したテーパー形の切欠部７に係合させて、横仕切板１と縦仕切板２とを固定したことを特徴とする請求項１に記載の厚紙製仕切体。
【請求項３】
前記縦仕切板２及び添当片４の上部に形成したロック片８を重ねて折り曲げることにより、横仕切板１と縦仕切板２とを固定したことを特徴とする請求項１に記載の厚紙製仕切体。
【請求項４】
前記添当片４と縦仕切板２とを斜折線１０を介して繋ぎ、添当片４を縦仕切板２に重なるように斜折線１０に沿って折り曲げるようにしたことを特徴とする請求項１に記載の厚紙製仕切体。
【発明の詳細な説明】
【０００１】
【発明の属する技術分野】
この発明は、箱の内部を区画して、物品の移動を阻止する厚紙製の仕切体に関するものである。
【０００２】
【従来の技術】
例えば、図１０に示すように、点滴用の輸液のパウチＰを梱包する際には、段ボールシートから成る仕切板５１，５２を、スリット５３，５４の相互差込により井桁状に組み合わせて仕切体Ｔを形成し、この仕切体Ｔを箱Ｂに挿入して、区画された空間にパウチＰを収納し、箱Ｂの内部におけるパウチＰの移動を阻止するようにしている。
【０００３】
【発明が解決しようとする課題】
しかしながら、上記のような仕切体Ｔは、多数枚の仕切板５１を仕切板５２に差し込んで組み立てるのに手間がかかり、箱Ｂに挿入する際、把持する部分が適当でなければ、仕切板５１が仕切板５２から抜けてしまうことがある。
【０００４】
また、箱Ｂの端壁と仕切板５２との間に無駄な空間が生じることから、箱Ｂの外寸が大きくなり、包装コストが高くなるほか、輸送時や保管時のスペース効率が悪くなるという問題がある。
【０００５】
そこで、この発明は、組み立てや箱への挿入が容易で、コンパクトに物品を梱包して、物品の移動を阻止できる仕切体を提供しようとするものである。
【０００６】
【課題を解決するための手段】
上記課題を解決するため、この発明に係る仕切体は、各一対の横仕切板と縦仕切板とを一体に連設して起立させ、横仕切板から延出した添当片を縦仕切板に重ねて保形し、縦仕切板から延出した外折片を外側へ折り曲げて箱に挿入することにより、箱の内部が５分割されるようにしたのである。
【０００７】
【発明の実施の形態】
まず、この発明の第１実施形態を図１乃至図３に基づいて説明する。
【０００８】
図１に示すように、この仕切体Ｓのブランクでは、各一対の横仕切板１と縦仕切板２とが底板３の周囲に連設され、横仕切板１の両側縁から添当片４が、縦仕切板２の両側縁から外折片５がそれぞれ延出され、添当片４と外折片５の傾斜した境界から底板３の角まで切目が入れられている。
【０００９】
横仕切板１の両側外端部には、側方へやや突出したフック６が添当片４への切り込みにより設けられ、縦仕切板２の中間外端部には、中下がりのテーパー形に切欠部７が形成されている。
【００１０】
このようなブランクから仕切体Ｓを組み立てるには、図２に示すように、横仕切板１及び縦仕切板２を底板３から起立させつつ、添当片４を縦仕切板２に沿わせるように折り曲げる。
【００１１】
次に、横仕切板１を一旦深く内側へ折り曲げて、フック６を切欠部７の中央部から突出させ、横仕切板１を復元させると、フック６が切欠部７の側端部に係合し、横仕切板１と縦仕切板２の起立状態が維持される。
【００１２】
そして、外折片５を外側へ折り曲げ、図３に示すように、箱Ｂに仕切体Ｓを挿入し、その周壁内面に外折片５を沿わせると、箱Ｂの内部は、無駄な空間を生じることなく５分割される。
【００１３】
このため、コンパクトな箱Ｂを使用することができ、その内部の区画された各収納空間に点滴のパウチＰを収納して、箱Ｂの内部におけるパウチＰの移動を阻止することができる。
【００１４】
次に、この発明の第２実施形態を、図４乃至図６に基づいて、上記第１実施形態との相違点を中心に説明する。
【００１５】
この仕切体Ｓのブランクでは、図４に示すように、縦仕切板２の両側外端部及び添当片４の外端部に、先端へかけて幅広となるテーパー形のロック片８が切込により形成され、底板３から両方の横仕切板１への切込により、各方二本ずつの脚片９が形成されている。
【００１６】
このブランクから仕切体Ｓを組み立てる際には、図５に示すように、重ね合わせた縦仕切板２と添当片４のロック片８を同方向に折り曲げる。これにより、横仕切板１と縦仕切板２とが固定される。また、横仕切板１の起立に伴い、脚片９が突出し、安定性が向上する。
【００１７】
この仕切体Ｓを、図６に示すように、箱Ｂに挿入すると、上記第１実施形態のものと同様に、箱Ｂの内部は、無駄な空間を生じることなく５分割され、各収納空間に収納したパウチＰの移動を阻止することができる。
【００１８】
次に、この発明の第３実施形態を、図７乃至図９に基づいて、上記第２実施形態との相違点を中心に説明する。
【００１９】
この仕切体Ｓのブランクでは、図７に示すように、添当片４が底板３まで延長され、縦仕切板２と添当片４とが４５°の斜折線１０を介して繋がれている。なお、底板３及びロック片８は、省略しても構成できる。
【００２０】
このブランクから仕切体Ｓを組み立てる際には、図８に示すように、横仕切板１及び縦仕切板２を底板３から起立させつつ、添当片４を縦仕切板２に重なるように斜折線１０に沿って折り曲げる。
【００２１】
この仕切体Ｓを、図９に示すように、箱Ｂに挿入すると、上記第２実施形態のものと同様に、箱Ｂの内部は、無駄な空間を生じることなく５分割され、各収納空間に収納したパウチＰの移動を阻止することができる。
【００２２】
このように、上記各実施形態の仕切体Ｓは、一枚のブランクを折り曲げて形成されることから、従来の差込式のもののように、部材が抜け落ちたりせず、箱Ｂへ容易に挿入でき、その挿入時に迅速に組み立てられるので、作り置きしておく必要がなく、梱包作業の効率化を図ることができる。
【００２３】
【発明の効果】
以上のように、この発明に係る仕切体は、一枚のブランクを折り曲げて形成されることから、部材が抜け落ちることなく、箱へ容易に挿入することができ、その挿入状態において、無駄な空間を生じることなく、箱の内部を５分割することができるので、コンパクトに物品を梱包して、物品の移動を阻止できる。
【図面の簡単な説明】
【図１】この発明に係る仕切体の第１実施形態のブランクを示す図
【図２】同上の組立状態を示す斜視図
【図３】同上の箱への挿入状態を示す斜視図
【図４】この発明に係る仕切体の第２実施形態のブランクを示す図
【図５】同上の組立状態を示す斜視図
【図６】同上の箱への挿入状態を示す斜視図
【図７】この発明に係る仕切体の第３実施形態のブランクを示す図
【図８】同上の組立状態を示す斜視図
【図９】同上の箱への挿入状態を示す斜視図
【図１０】従来の仕切体の箱への挿入状態を示す斜視図
【符号の説明】
１  横仕切板
２  縦仕切板
３  底板
４  添当片
５  外折片
６  フック
７  切欠部
８  ロック片
１０  斜折線
Ｓ  仕切体
Ｂ  箱
【図１】
0003618731.tif 000002
【図２】
0003618731.tif 000003
【図３】
0003618731.tif 000004
【図４】
0003618731.tif 000005
【図５】
0003618731.tif 000006
【図６】
0003618731.tif 000007
【図７】
0003618731.tif 000008
【図８】
0003618731.tif 000009
【図９】
0003618731.tif 000010
【図１０】
0003618731.tif 000011